(57)【特許請求の範囲】
【請求項１】
照射された光線を反射させる反射面を傾動自在に設けた反射手段と、
前記反射手段に光線が照射されたとしたときの光線の走査線上に位置する投票者位置から照射された光線をその反射手段を介して受光する受光器と、
光線が受光されたときの前記反射手段の傾動位置に基づいて投票者を決定する決定手段と、
を有することを特徴とする投票装置。
【請求項２】
反射手段は、ガルバノミラーであることを特徴とする請求項１記載の投票装置。
【発明の詳細な説明】
【０００１】
【発明の属する技術分野】
本発明は、各種の競市における投票、あるいは、会議等における賛否の意思を投票するときなどに好適な投票装置に関する。
【０００２】
【従来の技術】
従来、この種の投票装置は、投票結果を集計表示する投票装置本体と投票者位置に設けられた投票スイッチとから構成されている。
【０００３】
上記構成の投票装置においては、投票者が投票スイッチを押下（操作）すると、投票者の意思が投票装置本体にスイッチ信号として伝送され、入札の意思、あるいは賛否の意思が投票装置本体に表示、あるいは記録されるように構成されている。
【０００４】
【発明が解決しようとする課題】
しかしながら、上記従来の投票装置は、投票スイッチと投票装置本体とが有線により接続されているため、設備コストがかさむ欠点があった。
【０００５】
そこで、本発明は、上記欠点を解決するためになされたものであって、その目的は、設備コストの安価な投票装置を提供することにある。
【０００６】
【課題を解決するための手段】
本発明に係る投票装置は、上記目的を達成するために、照射された光線を反射させる反射面を傾動自在に設けた反射手段と、前記反射手段に光線が照射されたとしたときの光線の走査線上に位置する投票者位置から照射された光線をその反射手段を介して受光する受光器と、光線が受光されたときの前記反射手段の傾動位置に基づいて投票者を決定する決定手段と、を有することを特徴としている。
また、前記反射手段は、ガルバノミラーであることを特徴としている。
【０００７】
【発明の実施の形態】
以下、本発明の実施の形態を図面に基づいて説明する。図１は、一実施の形態に係る投票装置の概略構成図である。
【０００８】
図中、Ａ１  〜Ａｎ  は、投票者の座席であり、これら座席は、後述する受光器が発光器としたときの、その発光器から照射された光線が後述するガルバノミラーを介して形成される走査線Ｌ上に位置するように、マトリックス状に配置されている。
【０００９】
走査線Ｌは、Ｘ軸方向に水平で、かつ、Ｙ軸方向に所定の間隔を保つように形成されているが、このＸ軸とＹ軸とを逆の関係に走査線Ｌを形成させることもできる。なお、図示の例では、走査線Ｌは、１回限り形成されるように示されているが、実際は、繰返して、つまり、後述するガルバノミラーの駆動中、連続して形成される。
【００１０】
各座席Ａ１  〜Ａｎ  に着席する投票者は、図２に示される投票器１をそれぞれ所持して着席している。もちろん、この投票器１を各座席Ａ１  〜Ａｎ  に予め設置しておくこともできる。
【００１１】
投票器１は、投票の意思を示すときに押下されるスイッチ２を有している。そして、このスイッチ２が押下されたときに、投票器１内に設けられている発光器３から、後述するガルバノミラーに向けて光線イを発射（照射）できるように構成されている。
【００１２】
発光器３から発射される光線は、波長３８０〜７８０ｎｍの範囲の可視光の範囲外の非可視光に決められている。したがって、第三者は、他人の投票の状態を認識することができない。
【００１３】
図１中、Ｇは、ガルバノミラーであって、これについては、本出願人が、先に、特開平７−１７５００５号公報、特開平７−２１８８５７号公報等で提案しているので、詳しい説明はこれら先願に譲るが、このガルバノミラーＧは、図３に示されるように、コイルＣ１  ，Ｃ２  に後述する駆動回路１０から電流を印加すると、本発明の反射手段を構成するミラーＭを張設しているプレートＰには、Ｘ軸，Ｙ軸を中心にしてトルクが生じ、そのミラーＭの反射面の傾きを任意に変更できるように構成されている。
【００１４】
なお、図３においては、プレートＰに回転力を与えるための磁界を発生させる磁石は、図面を簡略化するために省略されているが、このガルバノミラーＧにおいても、コイルＣ１  ，Ｃ２  に印加される電流と磁石による磁界とによりプレートＰに回転力を生じさせるガルバノミラーの原理が採用されている。
【００１５】
図１中、１１は、受光器であって、その内部にホトセンサを有していて、ガルバノミラーＧのミラーＭを介して入射される光線イを受光できるように構成されている。そして、その光線イを受光した信号は、ＣＰＵを中心構成される制御器１２に入力されるように構成されている。
【００１６】
この制御器１２は、受光器１１が走査線Ｌのどの位置で、すなわち、ガルバノミラーＧのミラーＭの傾動のどの傾動位置で光線イを受光したかにより、座席を特定して投票者を決定している。図１においては、座席Ａ２  に着席している投票者からの光線イを受光している状態を示している。
【００１７】
図１中、１３は、表示記録器であって、制御器１２が投票者を決定したときの投票者を表示するとともに、その投票者名を記録するもので、表示画面及びプリンタ等を備えて構成される。
【００１８】
もちろん、投票者名を秘密にする必要がある場合は、表示画面への表示は省略される。
【００１９】
上記構成の投票装置を競市の投票装置としたときの制御動作を図４のフローチャートを用いて説明する。
【００２０】
この投票装置が競市の投票装置として用いられるときは、競値を表示する可変表示器（図示せず）の一部に、又は、その可変表示器の近傍に、上述のガルバノミラーＧ及び受光器１１が設置される。
【００２１】
さて、今、競り（図４では投票）が開示されたとする（ステップ１００肯定。以下、ステップを「Ｓ」とする。）この競りの開始により、ガルバノミラーＧが駆動される（Ｓ１０２）。また、図示しない可変表示器に競値が表示される。
【００２２】
可変表示器の競値が徐々に上がり、所定の競値のときに、一人の投票者の光線イのみしか受光しないとき、例えば、図１のＡ２  席からの光線イしか受光しないときに、その光線イの受光位置が制御器１２で検出されて、落札者が座席Ａ２  の着席者と判定される（Ｓ１０４肯定、Ｓ１０６、Ｓ１０８）。
【００２３】
上述の例は、本発明の投票装置を競市の投票装置に適用した例であるが、出席者の賛否を問うような投票の場合は、各座席Ａ１  〜Ａｎ  からの光線イの有無を判別して賛否の意思が判定される。
【００２４】
【発明の効果】
本発明に係る投票装置は、照射された光線を反射させる反射面を傾動自在に設けた反射手段と、前記反射手段に光線が照射されたとしたときの光線の走査線上に位置する投票者位置から照射された光線をその反射手段を介して受光する受光器と、光線が受光されたときの前記反射手段の傾動位置に基づいて投票者を決定する決定手段とからなるので、簡単な構成で実現でき、設備コストを低減することができる。
また、前記反射手段をガルバノミラーとしたときは、簡単に反射手段を構成することができる。
【図面の簡単な説明】
【図１】本発明の一実施の形態に係る投票装置の概略構成図である。
【図２】投票器の正面図である。
【図３】ガルバノミラーの概略構成図である。
【図４】投票制御動作を示すフローチャートである。
【符号の説明】
１  投票器
２  スイッチ
３  発光器
１０  駆動回路
１１  受光器
１２  制御器
１３  表示記録器
Ｇ  ガルバノミラー
Ｍ  ミラー（反射手段）
Ａ１  〜Ａｎ    座席
【図１】
0003587979.tif 000002
【図２】
0003587979.tif 000003
【図３】
0003587979.tif 000004
【図４】
0003587979.tif 000005